(57)【要約】【課題】各避難者などのプライバシーが守られるとともに、就寝用の寝床として使用できるようにした区画構造体を提供すること。【解決手段】床に対し固定され、所定の高さを有する仕切り体４が、所定間隔離間して前後に複数列配置されることにより、隣接する仕切り体４，４間に座席スペースが設けられている区画構造体１であって、座席スペース内に、前後に隣接する仕切り体４，４間の距離と略同寸幅の寝床１２，１３が、所定の高さ位置に、その上面がほぼ平坦になるように配置可能となっている。【選択図】図７
2015073573.tif 000002
【特許請求の範囲】
【請求項１】
床に対し固定され、所定の高さを有する仕切り体が、所定間隔離間して前後に複数列配置されることにより、隣接する仕切り体間に座席スペースが設けられている区画構造体であって、
前記座席スペース内に、前後に隣接する前記仕切り体間の距離と略同寸幅の寝床が、所定の高さ位置に、その上面がほぼ平坦になるように配置可能となっていることを特徴とする区画構造体。
【請求項２】
前記仕切り体は、少なくとも前後の一側に座部を備えており、該座部の少なくとも一部が座席スペースを埋める寝床として機能することを特徴とする請求項１に記載の区画構造体。
【請求項３】
前記仕切り体にはマット材を載置可能な支持部が形成されており、脚部と横長の座とを備えるベンチが前記支持部を覆うように配置されて前記座部として機能するようになっていることを特徴とする請求項２に記載の区画構造体。
【請求項４】
前記横長の座は、２枚の略同寸法のマット材が積層されてなり、少なくとも１枚が前記座から分離できるようになっていることを特徴とする請求項３に記載の区画構造体。
【請求項５】
前記仕切り体は、前方側に前記座部を備え、後方側に移動可能なテーブルを備えることを特徴とする請求項２ないし４のいずれかに記載の区画構造体。
【発明の詳細な説明】
【技術分野】
【０００１】
本発明は、所定の間隔で複数立設される仕切り体間に座席スペースが設けられている区画構造体に関する。
【背景技術】
【０００２】
近年、災害などの非常時において、学校の教室や劇場及び多目的講義室等が臨時の就寝場所として利用されるが、室温が低い中で床の上に布団を敷くこととなり、プライバシーが守られないばかりか、床に体温を奪われて体調を崩す虞があり就寝者にとって快適とはいい難い環境であった。
【０００３】
また、このような学校の教室や多目的講義室等には、下端が床面に固定され、前後に一定間隔で机が複数配置されており、隣接するこれら机同士の間には椅子が固定的に設置されている場合がある（例えば、特許文献１参照）。しかし、このような椅子の座体を利用して就寝する場合、座体の上は狭く不安定なため、就寝環境としては適していない。
【先行技術文献】
【特許文献】
【０００４】
【特許文献１】特許第４３１９３３５号公報（第３頁、第１図）
【発明の概要】
【発明が解決しようとする課題】
【０００５】
本発明は、このような問題点に着目してなされたもので、各避難者などのプライバシーが守られるとともに、就寝用の寝床として使用できるようにした区画構造体を提供することを目的とする。
【課題を解決するための手段】
【０００６】
前記課題を解決するために、本発明の区画構造体は、
床に対し固定され、所定の高さを有する仕切り体が、所定間隔離間して前後に複数列配置されることにより、隣接する仕切り体間に座席スペースが設けられている区画構造体であって、
前記座席スペース内に、前後に隣接する前記仕切り体間の距離と略同寸幅の寝床が、所定の高さ位置に、その上面がほぼ平坦になるように配置可能となっていることを特徴としている。
この特徴によれば、災害等による非常時に、所定間隔離間して前後に隣接する仕切り体間の座席スペースに、この座席スペースを埋める寝床を上面がほぼ平坦になるように配置できるため、使用者が横臥できる面を十分に確保できるとともに、所定の高さを有する仕切り体により就寝スペースが区画されており、避難者などのプライバシーを確実に守ることができる。
【０００７】
前記仕切り体は、少なくとも前後の一側に座部を備えており、該座部の少なくとも一部が前記座席スペースを埋める前記寝床として機能することを特徴としている。
この特徴によれば、座部の一部を使用者が横臥できる寝床として使用できるため、別途大きな寝床用の寝具を用意する必要がない。
【０００８】
前記仕切り体にはマット材を載置可能な支持部が形成されており、脚部と横長の座とを備えるベンチが前記支持部を覆うように配置されて前記座部として機能するようになっていることを特徴としている。
この特徴によれば、ベンチを前記支持部から離間するように移動させるとともに、支持部にマット材を載置することにより、横長の座とマット材によって簡単に広い寝床を形成することができる。
【０００９】
前記横長の座は、２枚の略同寸法のマット材が積層されてなり、少なくとも１枚が前記座から分離できるようになっていることを特徴としている。
この特徴によれば、２枚の略同寸法のマット材が積層されているため、椅子として使用する際の座を、拡張用のマット材収納場所として有効に活用できることとなる。
【００１０】
前記仕切り体は、前方側に前記座部を備え、後方側に移動可能なテーブルを備えることを特徴としている。
この特徴によれば、テーブルを移動することにより、仕切り体間のスペースに、移動の自由な広い寝床を確保できることになる。
【図面の簡単な説明】
【００１１】
【図１】実施例における区画構造体を示す側面図である。
【図２】（ａ）は、仕切り体を示す正面図であり、（ｂ）は、同じく側面図である。
【図３】ベンチの構造を示す分解斜視図である。
【図４】基部及び支持部を示す斜視図である。
【図５】ベンチの組み立てを示す斜視図である。
【図６】（ａ）は、一対の仕切り体を示す斜視図であり、（ｂ）は、同じく上面図である。
【図７】（ａ）は、ベンチを前方に移動させた状態を示す斜視図であり、（ｂ）は、寝床を形成した状態を示す斜視図である。
【図８】テーブルの変形例を示す斜視図である。
【図９】（ａ）は、変形例１における区画構造体のベンチを示す斜視図であり、（ｂ）は、寝床を形成した状態を示す側面図である。
【図１０】変形例２における区画構造体を構成する一対の仕切り体を示す側面図である。
【図１１】変形例３における区画構造体のマット材を示す斜視図である。
【発明を実施するための形態】
【００１２】
本発明に係る区画構造体を実施するための形態を実施例に基づいて以下に説明する。
【実施例】
【００１３】
実施例に係る区画構造体につき、図１から図６を参照して説明する。以下、図１，２及び図５，６の画面左側を区画構造体の正面側（前方側）として説明する。
【００１４】
図１に示されるように、区画構造体１は、学校の多目的講義室等において、講義を受講する際のテーブル２，２，２と座部３とを有する仕切り体４が前後に複数列配置されて主に構成されている。そして、これら仕切り体４，４，…により各座席スペースが区画されている。複数の仕切り体４のうち、先頭に位置する仕切り体４’は、テーブル２，２，２と後述する基部４ａとから構成されている。
【００１５】
図１及び図２に示されるように、仕切り体４は、床面に固定されて上方に延びる脚体５，５，…と、脚体５，５，…の間に架け渡される架設体６，６，６と、架設体６，６，６の前面に取付けられる幕板７と、を有する基部４ａを備え、この基部４ａの後方側には、テーブル２，２，２が設けられている。架設体６，６，６は、それぞれ上端に開口する収容部６ａ，６ａ，６ａを備えており、テーブル２，２，２の不使用時には、各収容部６ａ，６ａ，６ａ内に収容できるようになっている。
【００１６】
図２及び図３に示されるように、座部３は、脚部９，９，…と、該脚部９，９，…の間にそれぞれ架け渡される架設部１９，１９，…と、脚部９，９，…及び架設部１９，１９，…上部に固定され、座として機能する横長の座板１０を有するベンチ１１が、仕切り体４の前方側に寄せて配置されることで構成されている。
【００１７】
図４に示されるように、基部４ａの前方側には、前方に向けて所定長さ水平に延びる支持部８Ａ，８Ａ，８Ｂ，８Ｂが固定されており、ここでは詳述しないが、支持部８Ａ，８Ａ，８Ｂ，８Ｂは、それぞれの上面が前記ベンチ１１の座板１０の下面１０ａと略同一の高さに設定されている。また、中央側の支持部８Ａ，８Ａの根元側の上部には切欠２０，２０が形成され、これら切欠２０，２０に、前記ベンチ１１の架設部１９が係合可能となっており、ベンチ１１の前後方向の移動を規制するようになっている。
【００１８】
図２及び図３に示されるように、ベンチ１１における座板１０の上部には、２枚の上面視略同寸法のマット材１２，１３が積層されており、利用者が着座する際のクッションとなっている。マット材１２は、マット材１３のウレタン材１３ａとほぼ同じ厚みのウレタン材１２ａと、座板１０とほぼ同じ板厚の芯材１８と、がカバーに内包されて形成されている。尚、マット材１２は、ウレタン材１２ａと芯材１８とをカバー内に同時に内包した構成に限らず、例えば、芯材１８はマット材１２と別体であってもよい。
【００１９】
図５に示されるように、ベンチ１１の座板１０の下面１０ａには、長手方向両端部に面ファスナーである被係合部材１６，１６が固定されている（片方のみ図示）。また、マット材１３は、布や樹脂、皮等から成るカバー１４の略中央部に縫い付けられており、カバー１４の両端部には前記被係合部材１６，１６に係合する面ファスナーである係合部材１７，１７が固定されている（片方のみ図示）。
【００２０】
座板１０の上面にマット材１２及びマット材１３を載置した後、カバー１４の係合部材１７，１７を座板１０の被係合部材１６，１６に係合させ、且つカバー１４の周縁を図示しないタッカーなどで座板１０の下面１０ａに固定することにより、座板１０及びマット材１２，１３が一体的にカバー１４に覆われるようになる。尚、この被係合部材１６及び係合部材１７は、本実施例において面ファスナーを想定して説明したが、これに限られず、ボタン等の部材を用いて係合するようになっていても構わない。
【００２１】
次に、平常時の仕切り体４，４’，…の使用態様について説明する。以下、前方側の仕切り体を先頭の仕切り体４’として説明する。図６（ａ）に示されるように、平常時には、仕切り体４からテーブル２，２，２を引き出し、後方に位置する仕切り体４の座部３に着席することができるようになっている。図６（ｂ）に示されるように、隣接する仕切り体４，４’同士の離間幅Ｙ（座席スペース）は、ベンチ１１における座板１０の前後方向の幅Ｚよりも大きく設定されており、本実施例では、座部３における前後方向の幅Ｚの略２倍程度となっている。そのため、テーブル２，２，２を引き出した状態であっても着座者が窮屈さを感じることがない。尚、隣接し合う仕切り体の離間幅Ｙは、ベンチ１１における座板１０の前後方向の幅Ｚの２倍に限らず、座部３に着席できる幅であれば、前記幅Ｚの２倍以下でもよいし、２倍以上でもよい。
【００２２】
次に、災害等が発生した非常時に、仕切り体４，４’を就寝用の寝床として使用する態様について説明する。災害等の非常時には、図７（ａ）に示されるように、テーブル２，２，２を各架設体６の収容部６ａ内に収容するとともに、ベンチ１１を前方の仕切り体４の基部４ａの背面に当接するように移動させて配置する。これにより、ベンチ１１が支持部８Ａ，８Ａ，８Ｂ，８Ｂから離間するように移動し、支持部８Ａ，８Ａ，８Ｂ，８Ｂが露出するようになる。
【００２３】
その後、前述したカバー１４をベンチ１１の座板１０から取外し（図３参照）、図７（ｂ）に示されるように、マット材１２を支持部８Ａ，８Ａ，８Ｂ，８Ｂの各上面に載置するとともに、マット材１３を座板１０に再び載置する。
【００２４】
このようにマット材１２が支持部８Ａ，８Ａ，８Ｂ，８Ｂの各上面に載置されると、上述したようにベンチ１１の座板１０の下面１０ａが支持部８Ａ，８Ａ，８Ｂ，８Ｂの上面と略同一の高さに設定されているため、マット材１２及びマット材１３の上面が平坦になり、このマット材１２及びマット材１３は、一対の仕切り体４，４’の間に形成された座席スペースの略全面を埋めるように配置される。また、前述したように、マット材１２は底面に座板１０と同一形状の芯材１８が設けられているため、型崩れすることなく支持部８Ａ，８Ａ，８Ｂ，８Ｂの各上面に載置されるようになる。
【００２５】
このように配置されたマット材１２及びマット材１３は、一対の仕切り体４，４’の間に形成された座席スペースの略全面を埋める寝床面として利用できる。さらに、マット材１２及びマット材１３は、支持部８Ａ，８Ａ，８Ｂ，８Ｂ及び脚部９，９，…により床面から離間した所定高さに配置されているため、室内が低温であっても床に体温を奪われる虞を軽減でき、快適に就寝することができる。
【００２６】
さらに、マット材１２及びマット材１３に就寝時には、所定の高さを有する基部４ａ，４ａにより就寝スペースが区画されることとなり、避難者のプライバシーを確実に守ることができる。また、基部４ａ，４ａには、各幕板７が設けられているため、各幕板７を目隠しとして使用できるため、水平方向からの視線が遮蔽されプライバシーがより守られる。
【００２７】
また、ベンチ１１を前方に移動させるとともに、露出した支持部８Ａ，８Ａ，８Ｂ，８Ｂにマット材１２を載置することにより、横長の座板１０，芯材１８とマット材１２，１３によって使用者が横臥できる広い寝床を簡単に形成でき、且つ別途大きな寝床用の寝具を用意する必要がない。
【００２８】
また、マット材１２，１３は、略同寸法であることから、平常時には、拡張用のマット材１２を椅子として使用する際の座板１０に積層して収容することができるとともに、非常時には、マット材１２を座板１０から分離して支持部８Ａ，８Ａ，８Ｂ，８Ｂに載置できる。
【００２９】
また、非常時には、テーブル２，２，２を移動させ、各架設体６の収容部６ａ内に収容することにより、仕切り体４，４’間のスペースを埋めたマット材１２及びマット材１３の上方にテーブル２，２，２を突出させず、マット材１２，１３上を自由に移動可能な広い寝床を確保できることになる。
【００３０】
尚、本実施例では、ベンチ１１を前方にスライドさせた後、座板１０から分離させたマット材１２を支持部８Ａ，８Ａ，８Ｂ，８Ｂの上面に載置することにより座席スペースの略全面を埋めて寝床を形成したが、これに限られず、例えば、ベンチ１１を前方にスライドさせた後、支持部８Ａ，８Ａ，８Ｂ，８Ｂの上面に別段のマット材を敷き詰めるようにしてもよいし、ベンチ１１の前方に別体の同様のベンチを配置することにより寝床を形成してもよい。
【００３１】
更に尚、寝床は、避難者が横臥できる面が所定の高さに設定されるように、例えば、マットレスなどの寝具を使用してもよいが、本実施例のように支持部８Ａ，８Ａ，８Ｂ，８Ｂ及び脚部９，９，…等により床面から離間した所定高さに確実に配置されていることが好ましい。
【００３２】
また、各テーブル２は、非常時に各架設体６の収容部６ａ内に収容されるようになっていたが、例えば、寝床としてのスペースをより遮蔽するために、テーブル２を各架設体６の上方に立設した状態で固定できるようにしてもよい。
【００３３】
また、仕切り体４１の基部４１ａは、テーブル２，２，２が架設体６，６，…の各収容部６ａ，６ａ，…内に収容可能になっていたが、例えば、図８に示されるように、仕切り体４１’の基部４１ａ’には、左右方向に長手方向を有し、背面側に向けて延びるテーブル２１が固定的に設置されていてもよい。
【変形例１】
【００３４】
次に、変形例１に係る区画構造体２００につき、図９を参照して説明する。尚、前記実施例と同一構成で重複する説明を省略する。
【００３５】
図９に示されるように、区画構造体２００のベンチ１１０は、後方側に突出する突出部１１０ａを備えており、この突出部１１０ａの上面１１０ｂは、ベンチ１１０の座板１０の下面１０ａと同じ高さに設定されている。また、図９（ｂ）に示されるように、仕切り体４２の基部４２ａには、突出部１１０ａと平行に延びる突出部８１が設けられている。これら突出部１１０ａ及び突出部８１は、支持部として機能する。
【００３６】
非常時には、前記実施例と同様に、ベンチ１１を前方の仕切り体４２の基部４２ａの背面に当接するように移動させて配置するとともに、ベンチ１１の座板１０からマット材１２を分離して突出部１１０ａと突出部８１に架け渡すように載置する。マット材１２は、突出部１１０ａと突出部８１に安定的に支持されて、一対の仕切り体４２の間の座席スペースを寝床として利用できるようになる。
【変形例２】
【００３７】
次に、変形例２に係る区画構造体３００につき、図１０を参照して説明する。尚、前記実施例と同一構成で重複する説明を省略する。
【００３８】
図１０（ａ）に示されるように、区画構造体３００の仕切り体４３には、前方に突出する座としての横長のベンチ３１が固定されている。また、仕切り体４３の背面には、支持部８２，８２，…（１つずつのみ図示）が回動可能に取付けられている。
【００３９】
非常時には、図１０（ｂ）に示されるように、支持部８２，８２，…支持部８２，８２，…を、その上面がそれぞれ水平になるように回動させ、図示しない固定手段等により支持部８２，８２，…を回動規制する。そして、支持部８２，８２，…の上面に、別段のマット材１２１を載置することにより、マット材１２１とベンチ３１の上面が平坦となり、これらマット材１２１及びベンチ３１の上面を寝床とすることができる。
【変形例３】
【００４０】
次に、変形例３に係る区画構造体４００につき、図１１を参照して説明する。尚、前記実施例と同一構成で重複する説明を省略する。
【００４１】
図１１（ａ），（ｂ）に示されるように、区画構造体４００のマット材１２２は、中央部に長手方向に沿って設けられた折部１２３ａを有するカバー１２３と、ウレタン材１２４及びウレタン材１２５とからなり、ウレタン材１２４及びウレタン材１２５は、折部１２３ａの両側に配置された状態でカバー１２３内に内包されている。
【００４２】
また図示しないが、平常時において、マット材１２２は、折り畳み状態（図１１（ａ）の状態）でベンチ１１の座板１０に載置されおり、利用者が着座する際のクッションとなっている。
【００４３】
非常時には、ベンチ１１を前方の仕切り体４’の背面に当接するように移動させて配置し、図１１（ｃ）に示されるように、折部１２３ａを起点としてウレタン材１２４を後方側に倒すことにより、マット材１２２を開いた状態（図１１（ｂ）の状態）とする。これにより、ウレタン材１２４が前述した支持部８Ａ，８Ａ，８Ｂ，８Ｂの各上面に支持され、開いた状態のマット材１２２の上面を寝床とすることができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、区画構造体１は、テーブル２と座部３とを有する仕切り体４が前後に複数列配置されることにより形成されていたが、これに限らず、所定の高さを有し前後に一定間隔で配置され、座席スペースを区画するようなものであれば、その形態及び設置場所は多岐にわたり適用でき、例えばテーブルを備えない劇場椅子等も含まれる。
【００４６】
また、座部３は脚体９，９，…を有するベンチ１１などで構成された態様について説明しているが、これに限らず所定以上の高さの座を有するものであれば、床面に直接設置する脚体を有さないソファ等により構成されていてもよい。
【００４７】
また、マット材は着座時及び就寝時における快適性を向上させるものであるため、代わりに座布団や敷布団等を別途利用する等、必ずしも区画構造体の構成に含まれずともよい。
【００４８】
また、非常時において幕板は、隣接する寝床の様子が互いに見えないようにする目隠し機能を持っているが、個々にプライベートな空間を用意するという観点からは、必ずしも目隠しの機能は必要ではないため、例えば、図８に例示するような幕板を備えない構成や、貫通孔等が形成された幕板などで代用されてもよい。
【００４９】
また、仕切り体４は、座部３を構成するベンチ１１を前後方向に移動規制するとともに、非常時においてマット材１２を支持する支持部８Ａ，８Ａ，８Ｂ，８Ｂを備える構成で説明したが、これに限らず、支持部８Ａ，８Ａ，８Ｂ，８Ｂを備えず、ベンチ１１若しくはそれに代わる椅子を仕切り体間で区画された座席スペースに配置する構成であってもよい。この場合、非常時には、ベンチ１１若しくはそれに代わる椅子を撤去し、別途用意した寝具を座席スペースに敷き詰めるようにして、その寝具を寝床としても構わない。
【００５０】
また、支持部として、前方に延びるものや、回転自在なものを例に挙げ説明したが、例えば、平常時に架設体６内に収容され、非常時に外部へ露出するものでもよいし、非常時において別段の支持部材を取付けることにより支持部を形成しても構わない。
【符号の説明】
【００５１】
１                区画構造体
２                テーブル
３                座部
４，４’          仕切り体
４ａ              基部
５                脚体
６                架設体
７                幕板
８Ａ，８Ｂ        支持部
９                脚部
１０              座板（座）
１１              ベンチ
１２，１３        マット材
１８              芯材
２１              テーブル
３１              ベンチ
４１，４２，４３  仕切り体
８１              突出部（支持部）
８２，８２，      支持部
１１０            ベンチ
１１０ａ          突出部（支持部）
１２１，１２２    マット材
１２３            カバー
１２３ａ          折部
２００            区画構造体
３００            区画構造体
４００            区画構造体
Ｙ                仕切り体同士の離間幅
Ｚ                座板の前後方向の幅
【図１】
2015073573.tif 000003
【図２】
2015073573.tif 000004
【図３】
2015073573.tif 000005
【図４】
2015073573.tif 000006
【図５】
2015073573.tif 000007
【図６】
2015073573.tif 000008
【図７】
2015073573.tif 000009
【図８】
2015073573.tif 000010
【図９】
2015073573.tif 000011
【図１０】
2015073573.tif 000012
【図１１】
2015073573.tif 000013